(57)【要約】      （修正有）【課題】就寝時に常に自然に近い状態の姿勢を維持できる枕を提供する。【解決手段】平面形状が５角形状で平板状の本体部２とその本体部の左右の羽根部３とより形成され、本体の三角形状部分４は先端に向けてテーパ状に薄くなっており、本体の方形部分にＵ字状の凹み５，６，７が形成されており、そのＵ字状の凹み部分の下縁から一定の間隔をおいて三角形状部分の中央部分を除いて左右両側を外側ほど深く凹ませてあり、中央部の下寄り部分にＴ字形の堰堤８が形成された形に形成されており、少なくとも本体部分が低反発弾性フォームで形成されている枕である。【選択図】図１
0003154028.tif 000002
【実用新案登録請求の範囲】
【請求項１】
平面形状が野球のホームベース様の５角形状で一定の厚さのある平板状の本体とその本体の左右辺に一体状に延設された一定広さの羽根とより形成されており、本体の三角形状部分は下方の先端に向けて上面から底面にテーパ状に薄くなっており、本体の片面の方形部分に辺縁がＵ字状の凹みが形成されており、そのＵ字状の凹み部分の下縁から一定の間隔をおいて三角形状部分の中央部分を除いて左右両側を外側ほど深く凹ませてあり、中央部の下寄り部分にＴ字形の堰堤が形成された形に形成されており、少なくとも本体が低反発弾性フォームで形成されている枕。
【考案の詳細な説明】
【技術分野】
【０００１】    本考案は人の睡眠時に使用する枕に関する。【０００２】  枕は人が安眠するために不可欠なものであり、これまで千差万別、極めて多くの枕が提供されてきているが、常に万人に等しく良好な睡眠を与えることが出来る枕はていきょうされていない
人は体型も各人で異なり、寝る環境、寝るときの姿勢も様々であり、その他の安眠のための条件は複雑である。【０００３】  また良好な安眠は何かの定義も一通りではない。
従って、全ての人に等しく良好な安眠を提供できる万能的な枕を創作することは不可能に近い。しかし、できるだけ多くに人に適応して出来るだけ良好な安眠を確保できる枕の開発が強く望まれることになるのは自然の流れである。
【考案の開示】
【考案が解決しようとする課題】
【０００４】  しかして研究を重ねた結果、良好な安眠を得るための条件は、睡眠時において出来るだけ頭、頚椎、脊椎、肩の位置関係が自然に近い状態に保たれることが最も重要な条件であることが判明した。【０００５】
【特許文献１】実用新案登録第３１２６４４１号明細書
【特許文献２】特開第２００８−２７２０５３号公報
【０００６】
【課題を解決するための手段】
【０００７】  本考案によれば、平面形状が野球のホームベース様の５角形状で一定の厚さのある平板状の本体とその本体の左右辺に一体状に延設された一定広さの羽根とより形成されており、本体の片面の方形部分に辺縁がＵ字状の凹みが形成されており、そのＵ字状の凹み部分の下縁から一定の間隔をおいて三角形状部分の中央部分を除いて左右両側を外側ほど深く凹ませてあり、中央部の下寄り部分にＴ字形の堰堤が形成された形に形成されており、少なくとも本体が低反発弾性フォームで形成されている枕が提供される。【０００８】  枕は少なくとも中央の野球のホームベース様の５角形状の本体部分は低反発弾性フォームで形成され、左右の羽根部分は単なる発泡体で形成されてもよいが、全体を低反発弾性フォームで形成することは好ましく、その場合全体をモールド成形で作ることが好ましい。
枕の規模は、人体の（上部の）規模の平均的な規模を基準にして決められればよく、大きな差異が出ることはない。
【考案の効果】
【０００９】  本考案の枕によれば、就寝時、仰向き状であっても寝返りをうって左右どちらかを下にしての横向き状態になっても頭部、肩、頚椎、脊椎の上部の位置が常に自然に近い状態が保たれるので充分に好適、充分な安眠が得られることになる。
【考案を実施するための最良の形態】
【実施例】
【００１０】  図は本考案の枕を示し、図１は平面図、図２は背面図、図３は正面図、図４は右側面図、図５は図１のＶ−Ｖ線断面図、図６は図１のＶＩ−ＶＩ線断面図、図７は図１のＶＩＩ−ＶＩＩ線断面図、図８は図１のＶＩＩＩ−ＶＩＩＩ線断面図、図９は図１のＩＸ−ＩＸ線断面図、図１０は図１のＸ−Ｘ線断面図、図１１は図１のＸＩ−ＸＩ線断面図である。【００１１】  図において１は枕、２は野球のホームベース様の５角形状の本体部分、３は本体部分の左右に一体的に設けた羽根部分である。
この枕は本体部分２は低反発弾性フォーム、羽根部分３はウレタンフォームで作られており、本体部分２と羽根部分３は接着剤によって接着されて一体的に形成されている。
しかし、全体を低反発弾性フォームで一体的に形成してもよい。
この枕の本体部分２の厚さは約１５ｃｍ、左右長は約７０ｃｍ、上下幅は約３５ｃｍ、中央部分の上下幅（枕の最大上下幅）は約４５ｃｍである。【００１２】  本体部分２及び羽根部分３は基本的に同じ一定の厚さに形成されているが、本体部分２の下方の三角形状部４は先端に向けて厚さがテーパ状に薄くなっている。
この下方の三角形状部４は余り縦方向に長く尖った計ｊ方でないほうがよく、せいぜい正三角形状程度までが好ましい。
本体部分２の上半部の方形部分に緩やかに深くなる一定の深さの凹み５が形成してある。この凹み５は人の頭部を受けるものであるので緩やかなカーブを描く酔うな輪郭形状に形成されている。【００１３】  凹み５の下側には一定間隔をおいて左右に緩やかに深くなる一定深さの左右対称形の凹み６，７が相互に一定間隔をおいて形成されている。
上記凹み部分５，６，７を除いた本体部分２の他の部分は凹みのない部分としてＹ字状の堰堤状部８が形成された形になっている。
本体部分２の左右には本体部２（堰堤状部８）と同じ厚さで一定厚さの羽根部分３が一体的に接合されている。【００１４】  本体部分２及び羽根部分３全体、即ち枕の底部９は平面状である。
この枕を使用した時の状態について説明する。
通常仰向けに寝た状態臀部と大腿部枕を使用した場合には、後頭部は凹み５に収まる形で受け止められる。
首部（頚椎部）は本体部分２のＹ字状の堰堤状部８の脚部分１０に受け止められる状態となり、肩部はそのＹ字状の堰堤部８の脚部分１０の両側に設けられた両凹み部６，７の部分に置かれる状態となる。【００１５】  寝返りは基本的に寝た人の左右どちらかの側に体のながて方向の軸中心に体を回転させることになるが、枕使用時に寝返りを打つと頭部及び肩部が左右どちらかの側に回転する。このとき、頭部は凹部５の中で回転し、肩部は左右どちらかの凹み部６，７に受けられることになり、頚椎部は本体部分２のＹ字状の堰堤部８の脚部分１０に受け止められる状態はほぼ維持されることになり、自然に近い状態がほぼ常時維持されることになる。
【図面の簡単な説明】
【００１６】
【図１】  本考案の枕の平面図である。
【図２】  本考案の枕の平面図である。
【図３】  本考案の枕の正面図である。
【図４】  本考案の枕の右側面図ある。
【図５】  図１のＶ−Ｖ線断面図である。
【図６】  図１のＶＩ−ＶＩ線断面図である。
【図７】  図１のＶＩＩ−ＶＩＩ線断面図である。
【図８】  図１のＶＩＩＩ−ＶＩＩＩ線断面図である。
【図９】  図１のＩＸ−ＩＸ線断面図である。
【図１０】  図１のＸ−Ｘ線断面図である。
【図１１】  図１のＸＩ−ＸＩ線断面図である。
【符号の説明】
【００１７】  １  枕
２  本体部分
３  羽根部分
４  三角形状部
５  凹み
６  凹み
７  凹み
８  堰堤状部
９  底部
１０  堰堤状部８の脚部分
【図１】
0003154028.tif 000003
【図２】
0003154028.tif 000004
【図３】
0003154028.tif 000005
【図４】
0003154028.tif 000006
【図５】
0003154028.tif 000007
【図６】
0003154028.tif 000008
【図７】
0003154028.tif 000009
【図８】
0003154028.tif 000010
【図９】
0003154028.tif 000011
【図１０】
0003154028.tif 000012
【図１１】
0003154028.tif 000013